(57)【要約】      （修正有）【課題】インターフェイス規格に準拠しつつ、相手側コネクタとの嵌合保持力が十分に確保されたコネクタを提供する。【解決手段】嵌合ハウジング部２２をレセプタクルコネクタ６０のレセプタクル側受容空間に嵌合させるように構成されたプラグコネクタ１０である。嵌合ハウジング部には、プラグ側シールド部材４０が取り付けられており、レセプタクルコネクタは、上下に弾性変形してプラグ側シールド部材に当接するロック部６４を備え、プラグ側シールド部材は、ロック部を受容することにより嵌合ハウジング部およびプラグ側シールド部材がレセプタクル側受容空間に嵌合された嵌合状態を保持するロック受容穴４４と、ロック受容穴の前側の縁部に下方に突出して設けられ、嵌合ハウジング部およびプラグ側シールド部材をレセプタクル側受容空間から抜去させるときに、ロック受容穴に受容されたロック部を下方に向けて弾性変形させる係合突出部４５とを備える。【選択図】図２
0003187082.tif 000002
【実用新案登録請求の範囲】
【請求項１】
本体ハウジング部と、前記本体ハウジング部に突出して設けられた嵌合ハウジング部とからなるハウジング部材内にコンタクト部材を備え、前記嵌合ハウジング部を相手側コネクタの受容部に嵌合させることで前記コンタクト部材が前記相手側コネクタの相手側コンタクト部材に当接されるように構成されたコネクタであって、
前記嵌合ハウジング部には、導電性材料により形成されたシールド部材が前記嵌合ハウジング部を囲んで取り付けられており、
前記相手側コネクタは、導電性材料により形成されるとともに前記嵌合ハウジング部および前記シールド部材が一体となって前記受容部に嵌合されるときに前記嵌合方向に直交する直交面に沿って弾性変形して前記シールド部材に当接するロック部を備え、
前記シールド部材は、
前記ロック部を受容可能な凹状に形成され、前記ロック部を受容することにより前記嵌合ハウジング部および前記シールド部材が前記受容部に嵌合された嵌合状態を保持するロック受容凹部と、
前記ロック受容凹部の嵌合先端側の縁部に前記直交面に沿って外方に突出して設けられ、前記嵌合状態となった前記嵌合ハウジング部および前記シールド部材を前記受容部から抜去させるときに、前記ロック受容凹部に受容された前記ロック部を前記外方に向けて弾性変形させる突出部とを備えたことを特徴とするコネクタ。
【請求項２】
前記シールド部材は、変形可能な板状部材を用いて形成され、
前記ロック受容凹部は、前記シールド部材に貫通形成されており、
前記突出部は、前記ロック受容凹部の嵌合先端側の縁部を前記外方に突出させるように変形させて形成されたことを特徴とする請求項１に記載のコネクタ。
【請求項３】
前記シールド部材は、平坦に形成された平坦部を備えており、
前記平坦部に、前記嵌合方向に対して直交する方向に沿って複数の前記ロック受容凹部が並べて設けられたことを特徴とする請求項１または２に記載のコネクタ。
【考案の詳細な説明】
【技術分野】
【０００１】
本考案は、相手側コネクタに受容されて嵌合するように構成されたコネクタに関し、さらに詳細には、情報伝達のためのインターフェイス規格に準じたコネクタに関する。
【背景技術】
【０００２】
近年、情報伝達のインターフェイス規格として、１つのケーブルで映像、音声および制御信号を伝達可能なＨＤＭＩ（登録商標）（High Definition Multimedia Interface）が開発され、デジタル家電やオーディオ・ビジュアル（ＡＶ）機器等に適用されている。例えばデジタル家電相互間におけるＨＤＭＩ（登録商標）規格による信号伝達は、各々のデジタル家電に設けられたＨＤＭＩ（登録商標）規格に準じたレセプタクルコネクタに、ケーブル端部に設けられたＨＤＭＩ（登録商標）規格に準じたプラグコネクタを嵌合させて、デジタル家電同士を電気的に接続することにより可能となる（例えば、特許文献１を参照）。
【先行技術文献】
【特許文献】
【０００３】
【特許文献１】特開２００８−２７０１７９号公報
【考案の概要】
【考案が解決しようとする課題】
【０００４】
ところで、上記の、ケーブル端部にＨＤＭＩ（登録商標）規格に準じたプラグコネクタを設けて構成されるコネクタ付きケーブルを、機器内部の配線用に用いる使用形態においては、レセプタクルコネクタに対してプラグコネクタが抜けにくい、すなわち、嵌合保持力が十分に確保された構成が求められる場合がある。しかし、インターフェイス規格に準拠しつつ、嵌合保持力が十分に確保された構成とすることが難しいという課題があった。
【０００５】
本考案は、上記のような課題に鑑みてなされたものであり、インターフェイス規格に準拠しつつ、相手側コネクタとの嵌合保持力が十分に確保されたコネクタ（プラグコネクタ）を提供することを目的とする。
【課題を解決するための手段】
【０００６】
上記目的を達成するため、本考案に係るコネクタは、本体ハウジング部と、前記本体ハウジング部に突出して設けられた嵌合ハウジング部とからなるハウジング部材（例えば、実施形態におけるプラグ側ハウジング部材２０）内にコンタクト部材（例えば、実施形態におけるプラグ側コンタクト部材３０）を備え、前記嵌合ハウジング部を相手側コネクタ（例えば、実施形態におけるレセプタクルコネクタ６０）の受容部（例えば、実施形態におけるレセプタクル側受容空間６１）に嵌合させることで前記コンタクト部材が前記相手側コネクタの相手側コンタクト部材（例えば、実施形態におけるレセプタクル側コンタクト部材７１）に当接されるように構成されたコネクタ（例えば、実施形態におけるプラグコネクタ１０）であって、前記嵌合ハウジング部には、導電性材料により形成されたシールド部材（例えば、実施形態におけるプラグ側シールド部材４０）が前記嵌合ハウジング部を囲んで取り付けられており、前記相手側コネクタは、導電性材料により形成されるとともに前記嵌合ハウジング部および前記シールド部材が一体となって前記受容部に嵌合されるときに前記嵌合方向に直交する直交面に沿って弾性変形して前記シールド部材に当接するロック部を備え、前記シールド部材は、前記ロック部を受容可能な凹状に形成され、前記ロック部を受容することにより前記嵌合ハウジング部および前記シールド部材が前記受容部に嵌合された嵌合状態を保持するロック受容凹部（例えば、実施形態におけるロック受容穴４４）と、前記ロック受容凹部の嵌合先端側の縁部に前記直交面に沿って外方に突出して設けられ、前記嵌合状態となった前記嵌合ハウジング部および前記シールド部材を前記受容部から抜去させるときに、前記ロック受容凹部に受容された前記ロック部を前記外方に向けて弾性変形させる突出部（例えば、実施形態における係合突出部４５）とを備えたことを特徴とする。
【０００７】
上述のコネクタにおいて、前記シールド部材は、変形可能な板状部材を用いて形成され、前記ロック受容凹部は、前記シールド部材に貫通形成されており、前記突出部は、前記ロック受容凹部の嵌合先端側の縁部を前記外方に突出させるように変形させて形成された構成が好ましい。
【０００８】
また、前記シールド部材は、平坦に形成された平坦部（例えば、実施形態における下面シールド部４１Ｄ）を備えており、前記平坦部に、前記嵌合方向に対して直交する方向に沿って複数の前記ロック受容凹部が並べて設けられた構成が好ましい。
【考案の効果】
【０００９】
本考案に係るコネクタは、嵌合ハウジング部に取り付けられたシールド部材が、相手側コネクタから抜去させるときにロック受容凹部に受容されたロック部を外方に向けて弾性変形させる突出部を備える。このため、当該コネクタを相手側コネクタから抜去させるには、ロック部をロック受容凹部への入り込み量に加えて突出部の突出高さ分だけ弾性変形させる引き抜き力が必要となり、突出部の突出高さに応じて嵌合保持力を高めることが可能になる。
【００１０】
上述のコネクタにおいて、突出部が、ロック受容凹部の嵌合先端側の縁部を外方に突出させるように変形させて形成される構成が好ましい。この突出部形成方法によれば、例えばシールド部材をプレス加工して形成する際の一工程において簡単に突出部を形成することができる。
【００１１】
また、シールド部材の平坦部に、嵌合方向に対して直交する方向に沿って複数のロック受容凹部が並べて設けられた構成が好ましい。このように構成すれば、並んで設けられたロック受容凹部の各々にロック部を受容させて、バランス良く嵌合状態を保持できるとともに、一方でコネクタを相手側コネクタから抜去させる際には、抜去に抗する力（嵌合保持力）をバランス良く作用させることができる。
【図面の簡単な説明】
【００１２】
【図１】本考案を適用した一実施形態としてのコネクタ付きケーブルを斜め上方から見て示す斜視図である。
【図２】上記コネクタ付きケーブルを斜め下方から見て示す斜視図である。
【図３】図２における嵌合部部分を拡大して示す斜視図である。
【図４】レセプタクルコネクタとプラグコネクタとが嵌合した状態を示す側面図である。
【図５】図１において、レセプタクルコネクタにプラグコネクタを嵌合させ、その状態でのＩＶ−ＩＶに沿う断面図である。
【考案を実施するための形態】
【００１３】
以下、本考案の実施形態について、図面を参照しながら説明する。まず、本考案を適用した一実施形態としてのＨＤＭＩ（登録商標）規格に準じたコネクタ付きケーブル１の構成について、図１〜図５を参照しながら説明する。なお、説明の便宜上、各図に付記する矢印方向を前後、左右および上下と定義して以下の説明を行う。
【００１４】
コネクタ付きケーブル１は、図１に示すように、略直方体に形成されて前部が嵌合相手であるレセプタクルコネクタ６０に嵌合可能なプラグコネクタ１０と、このプラグコネクタ１０の後部から後方に延びるケーブル５０とから構成される。
【００１５】
プラグコネクタ１０は、絶縁性樹脂材料を用いて形成されたプラグ側ハウジング部材２０と、導電性金属材料を用いて形成されてプラグ側ハウジング部材２０内に前後に延びて設けられた複数のプラグ側コンタクト部材３０と（図５も参照）、導電性金属材料を用いて形成されてプラグ側ハウジング部材２０の前部に設けられたプラグ側シールド部材４０とを備えて構成される。ケーブル５０は、プラグ側コンタクト部材３０と電気的に接続される複数の芯線５１を内部に有して構成される（図５参照）。なお、図１には、ケーブル５０の一端にプラグコネクタ１０が取り付けられた構成を示しているが、実際にはケーブル５０の他端にもプラグコネクタ１０が取り付けられてコネクタ付きケーブル１が構成される。
【００１６】
プラグ側ハウジング部材２０は、図２に示すように、略直方体に形成された本体ハウジング部２１と、本体ハウジング部２１の前部から断面視略台形となって前方に突出する嵌合ハウジング部２２とを備えて構成される。本体ハウジング部２１は、レセプタクルコネクタ６０にプラグコネクタ１０を挿抜させるときに操作部となる部分である。嵌合ハウジング部２２内には、前後に延びるとともに前方に向けて開放され、嵌合相手のレセプタクル側ハウジング部材７０およびレセプタクル側コンタクト部材７１を受容するプラグ側受容空間２３が形成されている。
【００１７】
プラグ側コンタクト部材３０は、図５に示すように、長尺状に形成されて前後に延びるようにハウジング部材２０に保持されており、プラグ側受容空間２３内に露出して上下に弾性変形可能な弾性変形部３１と、弾性変形部３１の前端部を上下に折曲させて形成された当接部３２と、本体ハウジング部２１内に位置してケーブル５０の芯線５１と電気的に接続される接続部３３とを備えて構成される。
【００１８】
プラグ側シールド部材４０は、図１〜図３に示すように、板材を折曲することにより嵌合ハウジング部２２の上下左右の側面を囲む形状に形成される。具体的には、嵌合ハウジング部２２の上面を覆う上面シールド部４１Ｕと、嵌合ハウジング部２２の右面を覆う右面シールド部４１Ｒと、嵌合ハウジング部２２の左面を覆う左面シールド部４１Ｌと、嵌合ハウジング部２２の下面を覆う下面シールド部４１Ｄとを備えて構成される。上面シールド部４１Ｕには、略矩形となって上下に貫通するロック受容穴４３，４３が左右に並んで設けられ、一方、下面シールド部４１Ｄには、略矩形となって上下に貫通するロック受容穴４４，４４が左右に並んで設けられている。なお、嵌合ハウジング部２２、プラグ側コンタクト部材３０の前部およびプラグ側シールド部材４０により、嵌合部４２が構成される。
【００１９】
以上ここまでは、コネクタ付きケーブル１の構成について説明した。以下においては、コネクタ付きケーブル１のプラグコネクタ１０と嵌合されるレセプタクルコネクタ６０の構成について、図１および図２を参照しながら説明する。
【００２０】
レセプタクルコネクタ６０は、図１に示すように、板状の導電性金属材料を用いて略箱状に形成されてレセプタクル側受容空間６１を有するレセプタクル側シールド部材６２と、絶縁性樹脂材料を用いて形成されてレセプタクル側受容空間６２内に配設されたレセプタクル側ハウジング部材７０と、導電性金属材料を用いて形成されてレセプタクル側ハウジング部材７０に保持された複数のレセプタクル側コンタクト部材７１とから構成される。レセプタクル側シールド部材６２のレセプタクル側受容空間６１は、後方に向けて開放されており、プラグコネクタ１０のプラグ側シールド部材４０が後方から挿入されて嵌合される。
【００２１】
レセプタクル側シールド部材６２の上部には、レセプタクル側シールド部材６２に一体に繋がって前方に延び上下に弾性変形可能な連結部６３ａと、この連結部６３ａの前端部を上下に折曲させて形成された当接部６３ｂとを有して片持ち状に形成されたロック部６３が、左右に並んで設けられている。ロック部６３は、当接部６３ｂがレセプタクル側受容空間６２内に突出するように形成されているため、レセプタクルコネクタ６０にプラグコネクタ１０を嵌合させるとき、当接部６３ｂが上面シールド部４１Ｕに弾性的に当接される。なお、図５においては、ロック受容穴４３およびロック部６３の図示を省略している。
【００２２】
図２に示すように、レセプタクル側シールド部材６２の下部には、レセプタクル側シールド部材６２に一体に繋がって後方に延び上下に弾性変形可能な連結部６４ａと、この連結部６４ａの後端部を上下に折曲させて形成された当接部６４ｂとを有して片持ち状に形成されたロック部６４が、左右に並んで設けられている。ロック部６４は、当接部６４ｂがレセプタクル側受容空間６２内に突出するように形成されているため、レセプタクルコネクタ６０にプラグコネクタ１０を嵌合させるとき、当接部６４ｂが下面シールド部４１Ｄに弾性的に当接される。また、ロック部６３およびロック部６４は、コネクタ１０,６０の嵌合時にプラグ側シールド部材４０とレセプタクル側シールド部材６２とを確実に接触させて、これらのシールド部材４０,６２をグランド接続させる機能も有する。
【００２３】
なお、上面シールド部４１Ｕには、ロック受容穴４３，４３の後方に左右一対のロック受容穴４６,４６が形成されている。これは、レセプタクルコネクタ６０の仕様によってはロック部６４の形成位置が異なる場合があるが、この場合であっても、ロック部６４を弾性的に入り込ませて嵌合状態を保持させるためのものである。
【００２４】
このレセプタクルコネクタ６０は基板８０に実装されて、レセプタクル側コンタクト部材７１が基板８０の回路パターン（図示せず）と電気的に接続される。このようにして基板８０に実装されたレセプタクルコネクタ６０が、取付スクリュウ８２を用いて取付パネル８１に取り付けられ、取付パネル８１に前後に開口した挿入口（図示せず）を介してレセプタクル側受容空間６２が後方に向けて開放される。
【００２５】
以上ここまでは、レセプタクルコネクタ６０の構成について説明した。次に、プラグコネクタ１０をレセプタクルコネクタ６０に挿抜させるときの作用について説明する。
【００２６】
プラグコネクタ１０をレセプタクルコネクタ６０に挿入して嵌合させるときには、レセプタクル側受容空間６１に対してプラグコネクタ１０の嵌合部４２を嵌合させるとともに、プラグ側受容空間２３にレセプタクル側ハウジング部材７０（レセプタクル側コンタクト部材７１）を挿入させる。このとき、当接部６３ｂが上面シールド部４１Ｕに、当接部６４ｂが下面シールド部４１Ｄにそれぞれ弾性的に当接される。このように、当接部６３ｂ，６４ｂがシールド部４１Ｕ，４１Ｄに当接した状態で、図４および図５に示すように、プラグ側コンタクト部材３０（当接部３２）が弾性的にレセプタクル側コンタクト部材７１に当接する位置までレセプタクル側受容空間６１にシールド部材４０が挿入されると、プラグ側シールド部材４０のロック受容穴４３に当接部６３ｂが弾性的に入り込むとともに、プラグ側シールド部材４０のロック受容穴４４に当接部６４ｂが弾性的に入り込む。このため、当接部６３ｂ，６４ｂがロック受容穴４３，４４に入り込んだ嵌合状態においては、プラグコネクタ１０を後方に引き抜く場合に、この引き抜き力に抗する抵抗力（弾性力）がロック部６３，６４により付与されて所定の嵌合保持力が確保される。
【００２７】
しかし、特にコネクタ付きケーブル１を機器内部の配線用に用いる使用形態においては、レセプタクルコネクタ６０からプラグコネクタ１０が抜けにくい、すなわち、嵌合保持力をより高めた構成が求められる場合がある。この要求に対応させるため、本考案に係るコネクタ付きケーブル１においては、図３に示すように、下面シールド部４１Ｄのロック受容穴４４，４４の前側縁部に、この部分を下方に向けて突出させた係合突出部４５,４５を設けている。このため、嵌合状態のプラグコネクタ１０を後方に引き抜く場合に、図５に示すように、ロック受容穴４４に対する当接部６４ｂの入り込み量に加えて、係合突出部４５の上下方向における高さ分だけロック部６４（連結部６４ａ）を弾性変形させる引き抜き力が必要となり、係合突出部４５の突出高さに応じて嵌合保持力を高めることができる。
【００２８】
また、プラグコネクタ１０においては、左右に並ぶようにロック受容穴４４，４４を設け、各々のロック受容穴４４，４４に対応させて係合突出部４５,４５を形成しているので、プラグコネクタ１０を引き抜く時に抵抗力をバランス良く作用させることができる。なお、このように、下面シールド部４１Ｄに係合突出部４５,４５を設ける構成とすれば、レセプタクルコネクタ６０の構成を変更することなく、嵌合保持力を高めることができる。
【００２９】
上述の実施形態においては、ロック受容穴４４，４４の前側縁部を下方に向けて突出させて係合突出部４５,４５を形成した構成について説明したが、この構成に代えて、例えばロック受容穴４４，４４の前側縁部の厚みを部分的に厚くすることにより係合突出部４５,４５を形成しても良い。
【００３０】
上述の実施形態では、下面シールド部４１Ｄのロック受容穴４４，４４に係合突出部４５,４５を設けた構成を例示して説明したが、この構成以外にも、例えば上面シールド部４１Ｕのロック受容穴４３，４３にも係合突出部を設けることにより、嵌合保持力をさらに高めることが可能である。また、下面シールド部４１Ｄのロック受容穴４４，４４に係合突出部４５,４５を設ける代わりに、上面シールド部４１Ｕのロック受容穴４３，４３に係合突出部を設ける構成も可能である。
【００３１】
上述の実施形態においては、ロック受容穴およびロック部を左右に２つ並べて設けた構成を例示したが、ロック受容穴およびロック部を１つもしくは左右に３つ以上並べて設ける構成としても良い。
【符号の説明】
【００３２】
１０    プラグコネクタ（コネクタ）
２０    プラグ側ハウジング部材（ハウジング部材）
２１    本体ハウジング部
２２    嵌合ハウジング部
３０    プラグ側コンタクト部材（コンタクト部材）
４０    プラグ側シールド部材（シールド部材）
４１Ｄ  下面シールド部（平坦部）
４４    ロック受容穴（ロック受容凹部）
４５    係合突出部（突出部）
６０    レセプタクルコネクタ（相手側コネクタ）
６１    レセプタクル側受容空間（受容部）
６４    ロック部
７１    レセプタクル側コンタクト部材（相手側コンタクト部材）
【図１】
0003187082.tif 000003
【図２】
0003187082.tif 000004
【図３】
0003187082.tif 000005
【図４】
0003187082.tif 000006
【図５】
0003187082.tif 000007